(57)【要約】【課題】ホストと前記ホスト内に内蔵された周辺機器共有インターフェースデバイスを含み、このシステムに接続されるあらゆるホストに周辺機器を共用させることができ、且つ、前記周辺共有インターフェース装置とホストが同一の電源を共用し、設置空間を節約できる、電子周辺機器共有システムの提供。【解決手段】電子周辺機器共有システムであって、工業標準に符合する複数の電子デバイスが少なくとも１つの周辺機器を共用することができ、前記システムがホスト及び前記ホスト内に設置された周辺機器共有インターフェースデバイスを含み、前記周辺機器共有インターフェースデバイスが少なくとも１つの信号入カポートと少なくとも１つの信号出力ポートを備え、そのうち、前記少なくとも１つの入力ポートが少なくとも画像入力ポート、マウス入力ポート、キーボードポートを含む。【選択図】図１
0003123192.tif 000002
【実用新案登録請求の範囲】
【請求項１】
電子周辺機器共有システムであって、工業標準に符合する複数の電子デバイスが少なくとも１つの周辺機器を共用することができ、前記システムがホスト及び前記ホスト内に設けられた周辺機器共有インターフェースデバイスを含み、前記周辺機器共有インターフェースデバイスが少なくとも１つの信号入力ポートと少なくとも１つの信号出力ポートを備え、そのうち、前記少なくとも１つの入力ポートが少なくとも画像入カポート、マウス入力ポート、キーボード入力ポートを含む、電子周辺機器共有システム。
【請求項２】
前記少なくとも１つの周辺機器が少なくとも１つのディスプレイ装置、少なくとも１つのキーボード、少なくとも１つのマウスを含む、請求項１に記載の電子周辺機器共有システム。
【請求項３】
前記工業標準がヒューマンインターフェースデバイス（Ｈｕｍａｎｉｔｙ  Ｉｎｔｅｒｆａｃｅ  Ｄｅｖｉｃｅ）のデバイス種類の定義である、請求項１に記載の電子周辺機器共有システム。
【請求項４】
前記信号出力ポートが少なくとも１つの画像出力ポートを含む、請求項１に記載の電子周辺機器共有システム。
【請求項５】
前記システムが前記キーボードポートを介して前記キーボードの信号を入力でき、かつ、この信号が前記信号出カポートを介して選択的に前記複数の電子デバイスに伝送され、且つ、前記システムが前記マウス入力ポートを介して前記マウスの信号を入力でき、かつ、この信号が前記信号出力ポートを介して選択的に前記複数の電子デバイスに伝送される、請求項１に記載の電子周辺機器共有システム。
【請求項６】
前記画像出カポートが、前記複数の電子デバイスからの画像信号を少なくとも１つのディスプレイ装置に選択して出力する、請求項４に記載の電子周辺機器共有システム。
【考案の詳細な説明】
【技術分野】
【０００１】
本考案は電子周辺機器共有システムに関し、詳細には、モニター、キーボード、マウスを共有することができる電子周辺機器共有システムであり、この周辺機器共有インターフェースデバイスには少なくとも１つの信号入カポートと少なくとも１つの信号出カポートが設けられ、そのうち、前記少なくとも１つの入力ポートが少なくとも画像入力ポート、マウス入カポート、キーボード入力ポートを含む、電子周辺機器共有システムに関する。
【背景技術】
【０００２】
現在多くのユーザが使用する周辺機器共有インターフェースデバイスは一種の信号切換器であり、多くの使用者が少なくとも１つのキーボード、ディスプレイ装置、マウスを共用できるようにするものである。現在応用されている周辺機器共有インターフェースデバイスは外付け式のシステムであり、大きな空間を占有する、別途電源供給が必要である、同時に多様な電子周辺機器を共用するとき接続ケーブルが乱雑になり人が躓く危険がある、などの問題を生じている。
【０００３】
現在の応用においては、電子周辺機器共有システムであって、ホスト及び前記ホスト内に内蔵された周辺機器共有インターフェースデバイスを含み、前記システムに接続されるあらゆるホストに周辺機器を共用させ、且つ、前記周辺共有インターフェース装置とホストが同一の電源を共用し設置空間を節約できるものが必要とされている。
【考案の開示】
【考案が解決しようとする課題】
【０００４】
本考案の目的は、ホストと前記ホスト内に内蔵された周辺機器共有インターフェースデバイスを含み、このシステムに接続されるあらゆるホストに周辺機器を共用させることができ、且つ、前記周辺共有インターフェース装置とホストが同一の電源を共用し、設置空間を節約できる、電子周辺機器共有システムを提供することにある。
【課題を解決するための手段】
【０００５】
本考案による電子周辺機器共有システムは、複数のキーボードと複数のマウスを同一時間において同一のコンピュータと通信させ、複数の周辺経路をユーザに提供することができ、且つ、これら経路はプリンター、スキャナー、デジタルカメラ等あらゆる種類の周辺機器と接続することができる。
【０００６】
本考案の電子周辺機器共有システムは、ホスト及び前記ホスト内に設置された周辺機器共有インターフェースデバイスを含み、前記周辺機器共有インターフェースデバイスは少なくとも１つの信号入力ポートと少なくとも１つの信号出カポートが設けられ、そのうち、前記少なくとも１つの入カポートは少なくとも画像入力ポート、マウス入カポート、キーボードポートを含む。
【考案を実施するための最良の形態】
【０００７】
以下、本考案の目的、特徴及び効果についてより理解を促すため、具体的な実施例と図面に基づき、詳細に説明する。
【０００８】
図１に本考案の電子周辺機器共有システム１を示す。本システムは、ホスト１１、前記ホスト１１内に内蔵された周辺機器共有インターフェースデバイス１２、画像信号を出力することができる画像出力ポート２１、第一入力ポート３１から第Ｎ入力ポート３Ｎまでの複数の入力ポート、第一出力ポート４１から第Ｎ出力ポート４Ｎまでの複数の出力ポート、電子周辺機器共有システム１からの各種出入力信号から対応する出入カポートを選択する選択インターフェース５１を含む。
【０００９】
図２に本考案の電子周辺機器共有システム１の最良の実施例を示す。複数組の画像信号が異なるホスト６１〜６Ｎ（例：コンピュータ）からホスト１１（例：コンピュータ）内の周辺機器共有インターフェースデバイス１２（例：インターフェースカード）に入力されたとき、例えば選択インターフェース５１により第一ホスト６１の画像が画像入力ポート２２に入力されるよう選択され、前記第一ホスト６１の画像が前記周辺機器共有インターフェースデバイス１２内の画像出力ポート２１からディスプレイ装置１３（例：モニター）に出力され、マウス１４、キーボード１５及びデジタルカメラ１Ｎは第一入力ポート３１、第二入力ポート３２、第Ｎ入力ポートを介して信号がホスト１１に入力され、これら入力信号はさらにホスト１１内に内蔵された周辺機器共有インターフェースデバイス１２上の選択インターフェース５１により第一出力ポート４１から第Ｎ出カポート４Ｎのうち３つの出力ポートが選択され、選択インターフェース５１を介してマウス１４信号、キーボード信号１５、デジタルカメラ１Ｎ信号が第一ホスト６１に出力される。
【図面の簡単な説明】
【００１０】
【図１】本考案の電子周辺機器共有システムを示す模式図である。
【図２】本考案の電子周辺機器共有システムの最良の実施例である。
【符号の説明】
【００１１】
１    電子周辺機器共有システム
１１  ホスト
１２  周辺機器共有インターフェースデバイス
１３  デイスプレイ装置
１４  マウス
１５  キーボード
１Ｎ  デジタルカメラ
２１  画像出力ポート
２２  画像入力ポート
３１  第一入力ポート
３２  第二入力ポート
３Ｎ  第Ｎ入力ポート
４１  第一出力ポート
４２  第二出力ポート
４Ｎ  第Ｎ出力ポート
５１  選択インターフェース
６１  第一ホスト
６２  第二ホスト
６Ｎ  第Ｎホスト
【図１】
0003123192.tif 000003
【図２】
0003123192.tif 000004